(57)【要約】      （修正有）【課題】電子チラシ等に掲載されている特売情報を、効率的かつ正確に収集することが可能なチラシ特売情報収集サーバ等を提供する。【解決手段】特売商品に関する販売情報が掲載された電子チラシをインターネット上で収集し、各々の電子チラシを発行している販売業者と販売業者の店舗を特定した上で、電子チラシから読み取られた情報を、販売業者又は販売業者の店舗毎に登録された情報と対比することによって、販売業者や販売業者の店舗によって商品名の表記方法や販売価格の表記方法等が異なる場合にも、特売の対象商品を正確に特定する。特定した特売商品の販売価格等の特売情報は、データベースに登録し、特売情報の取得を希望するユーザの端末に配信する。【選択図】図１
2018197893.tif 000002
【特許請求の範囲】
【請求項１】
電子チラシに掲載されている特売情報を収集するチラシ特売情報収集サーバであって、
インターネットに接続されたＷｅｂサーバから、特売商品に関する販売情報が掲載された電子チラシを収集する収集手段と、
前記収集手段によって収集された電子チラシを発行している販売業者及び販売業者の店舗を特定する第１の特定手段と、
前記第１の特定手段により販売業者及び販売業者の店舗が特定された電子チラシから読み取られた特売商品毎の特売商品に関する販売情報を、販売業者又は販売業者の店舗毎に登録されている取扱商品の販売情報と対比して、各々の特売商品として扱われている商品を識別する一又は二以上の商品コードを特定する第２の特定手段と、
前記第２の特定手段により商品コードが特定された特売商品について、前記第１の特定手段により特定された販売業者及び販売業者の店舗に関する情報と、前記電子チラシから読み取られた前記特売商品の販売価格を含む特売情報を、前記商品コードと関連づけて格納する格納手段と、
を備えることを特徴とするチラシ特売情報収集サーバ。
【請求項２】
前記第１の特定手段は、電子チラシから読み取られたレイアウト、カラーイメージ、販売業者もしくは販売業者の店舗の名称、又は販売業者のロゴマークの少なくとも一つを、販売業者又は販売業者の店舗毎に登録されている電子チラシのレイアウト、カラーイメージ、電子チラシに表記される販売業者もしくは販売業者の店舗の名称、又は販売業者のロゴマークの少なくとも一つと対比して、販売業者又は販売業者の店舗を特定すること
を特徴とする請求項１記載のチラシ特売情報収集サーバ。
【請求項３】
前記第２の特定手段は、電子チラシから読み取られた特売商品に関する販売情報と販売業者又は販売業者の店舗毎に登録されている取扱商品の販売情報における、商品画像、商品名及び商品規格、販売価格の少なくともいずれかが一致すると判断される所定の条件に合致することを条件として、特売商品として扱われている商品を識別する商品コードを特定すること
を特徴とする請求項１又は２記載のチラシ特売情報収集サーバ。
【請求項４】
前記格納手段には、前記第１の特定手段により特定された販売業者を識別する業者コード及び販売業者の店舗を識別する店舗コードと、電子チラシから読み取られた特売商品の販売価格及び前記販売価格が適用される期間を少なくとも含む特売情報が、各々の商品コードと関連づけて格納されること
を特徴とする請求項１乃至３いずれかに記載のチラシ特売情報収集サーバ。
【請求項５】
前記格納手段に格納された特売情報を、前記特売情報に対応する特売商品を販売する販売業者の店舗の位置情報が、特売情報の配信を要求するユーザに関連する位置情報と所定の条件に合致するユーザに配信する配信手段を備えること
を特徴とする請求項１乃至４いずれかに記載のチラシ特売情報収集サーバ。
【請求項６】
チラシに掲載されている特売情報を電子化して収集するチラシ特売情報収集装置であって、
特売商品に関する販売情報が掲載された紙媒体のチラシをスキャンした画像ファイルを、電子チラシとして受け付ける受付手段と、
前記受付手段によって受け付けられた電子チラシを発行している販売業者及び販売業者の店舗を特定する第１の特定手段と、
前記第１の特定手段により販売業者及び販売業者の店舗が特定された電子チラシから読み取られた特売商品毎の特売商品に関する販売情報を、販売業者又は販売業者の店舗毎に登録されている取扱商品の販売情報と対比して、各々の特売商品として扱われている商品を識別する一又は二以上の商品コードを特定する第２の特定手段と、
前記第２の特定手段により商品コードが特定された特売商品について、前記第１の特定手段により特定された販売業者及び販売業者の店舗に関する情報と、前記電子チラシから読み取られた前記特売商品の販売価格を含む特売情報を、前記商品コードと関連づけて格納する格納手段と、
を備えることを特徴とするチラシ特売情報収集装置。
【請求項７】
電子チラシに掲載されている特売情報を収集するサーバによって実行されるチラシ特売情報の収集方法であって、
前記サーバが、インターネットに接続されたＷｅｂサーバから、特売商品に関する販売情報が掲載された電子チラシを収集する収集ステップと、
前記サーバが、前記収集ステップで収集された電子チラシを発行している販売業者及び販売業者の店舗を特定する第１の特定ステップと、
前記サーバが、前記第１の特定ステップで販売業者及び販売業者の店舗が特定された電子チラシから読み取られた特売商品毎の特売商品に関する販売情報を、販売業者又は販売業者の店舗毎に登録されている取扱商品の販売情報と対比して、各々の特売商品として扱われている商品を識別する一又は二以上の商品コードを特定する第２の特定ステップと、
前記サーバが、前記第２の特定ステップで商品コードが特定された特売商品について、前記第１の特定ステップで特定された販売業者及び販売業者の店舗に関する情報と、前記電子チラシから読み取られた前記特売商品の販売価格を含む特売情報を、前記商品コードと関連づけて格納する格納手段に登録する登録ステップと、
を有することを特徴とするチラシ特売情報の収集方法。
【請求項８】
チラシに掲載されている特売情報を電子化して収集する装置によって実行されるチラシ特売情報の収集方法であって、
前記装置が、特売商品に関する販売情報が掲載された紙媒体のチラシをスキャンした画像ファイルを、電子チラシとして受け付ける受付ステップと、
前記装置が、前記受付ステップで受け付けられた電子チラシを発行している販売業者及び販売業者の店舗を特定する第１の特定ステップと、
前記装置が、前記第１の特定ステップで販売業者及び販売業者の店舗が特定された電子チラシから読み取られた特売商品毎の特売商品に関する販売情報を、販売業者又は販売業者の店舗毎に登録されている取扱商品の販売情報と対比して、各々の特売商品として扱われている商品を識別する一又は二以上の商品コードを特定する第２の特定ステップと、
前記装置が、前記第２の特定ステップで商品コードが特定された特売商品について、前記第１の特定ステップで特定された販売業者及び販売業者の店舗に関する情報と、前記電子チラシから読み取られた前記特売商品の販売価格を含む特売情報を、前記商品コードと関連づけて格納する格納手段に登録する登録ステップと、
を有することを特徴とするチラシ特売情報の収集方法。
【発明の詳細な説明】
【技術分野】
【０００１】
本発明は、電子チラシに掲載されている特売情報を収集する、チラシ特売情報収集サーバ、チラシ特売情報収集装置及びチラシ特売情報の収集方法に関するものである。
【背景技術】
【０００２】
スーパーマーケットやドラッグストア等の小売業者が、店舗を訪れる顧客に特売商品に関する情報を知らせる手段として、新聞への折込みチラシが古くから利用されているが、インターネットの利用が一般的になるに伴い、折込みチラシと同様の情報を電子化してインターネット上での閲覧を可能にした、電子チラシも広く用いられるようになっている。
【０００３】
こうした電子チラシについては、電子チラシに掲載されている特売商品に関する情報を効率的に収集したいという顧客ニーズに応えるべく、例えば、顧客の居住地に近い店舗の電子チラシを検索することができる電子チラシ制御サーバに関する発明（特許文献１）や、同じ商品について複数の店舗における販売価格を比較することが可能な情報処理装置に関する発明（特許文献２）等が開示されている。
【先行技術文献】
【特許文献】
【０００４】
【特許文献１】特開２００５−３２１４９号公報
【特許文献２】特開２０１６−１８２６６号公報
【発明の概要】
【発明が解決しようとする課題】
【０００５】
こうした発明において利用される電子チラシに掲載される特売商品に関する情報は、商品の販売業者等が各々の情報を登録する（特許文献１の段落００４１−００４３等）、あるいは、商品の販売業者等のサーバから受信する（特許文献２の段落００４２等）といった方法で収集することとすればよいが、実際の運用においては次のような課題が生じる。
【０００６】
電子チラシに掲載されている各々の特売商品に関する情報を、販売業者等のオペレータが目視で確認しながら、電子チラシに関する情報を蓄積するサーバにテキストデータとして入力する方法によるならば、正確な情報を収集することは期待できるものの、オペレータによる入力作業には限界があり、収集対象となる電子チラシの範囲が制限されてしまいやすい。
【０００７】
こうしたデータの入力作業を効率化するために、電子チラシを対象に画像認識処理を実行して、電子チラシに掲載された特売商品に関する情報を自動的に識別する方法が考えられるが、電子チラシにおける様々な情報のレイアウト、各々の商品名や商品規格の表記方法、税込・税別等の販売価格の表記方法は、電子チラシを発行している販売業者や店舗によって様々であり、正確な情報の特定を行うことは、画像認識処理の精度を向上させても極めて困難な状況となっている。
【０００８】
本発明は、このような課題に対応するためになされたものであり、電子チラシ等に掲載されている特売情報を、効率的かつ正確に収集することが可能な、チラシ特売情報収集サーバ、チラシ特売情報収集装置及びチラシ特売情報の収集方法を提供することを目的とするものである。
【課題を解決するための手段】
【０００９】
本発明の課題を解決するチラシ特売情報収集サーバは、電子チラシに掲載されている特売情報を収集するチラシ特売情報収集サーバであって、インターネットに接続されたＷｅｂサーバから、特売商品に関する販売情報が掲載された電子チラシを収集する収集手段と、前記収集手段によって収集された電子チラシを発行している販売業者及び販売業者の店舗を特定する第１の特定手段と、前記第１の特定手段により販売業者及び販売業者の店舗が特定された電子チラシから読み取られた特売商品毎の特売商品に関する販売情報を、販売業者又は販売業者の店舗毎に登録されている取扱商品の販売情報と対比して、各々の特売商品として扱われている商品を識別する一又は二以上の商品コードを特定する第２の特定手段と、前記第２の特定手段により商品コードが特定された特売商品について、前記第１の特定手段により特定された販売業者及び販売業者の店舗に関する情報と、前記電子チラシから読み取られた前記特売商品の販売価格を含む特売情報を、前記商品コードと関連づけて格納する格納手段と、を備えることを特徴とするチラシ特売情報収集サーバである。
【００１０】
以上のように構成される本発明では、特売商品の商品名と商品規格、販売価格や商品画像等の特売商品に関する販売情報が掲載された電子チラシをインターネット上で収集し、各々の電子チラシを発行している販売業者と販売業者の店舗を特定した上で、電子チラシから読み取られた情報を販売業者又は販売業者の店舗毎に登録された情報と対比することによって、販売業者や販売業者の店舗によって商品名の表記方法や販売価格の表記方法等が異なる場合にも、特売の対象商品を正確に特定することが可能となっている。尚、本発明における販売業者とは、厳密に法人単位で特定されるものではなく、例えば、同一の法人が異なるブランドで複数の店舗を展開している場合には、店舗のブランド単位で販売業者を識別することとしてもよい。
【００１１】
また、本発明に係るチラシ特売情報収集サーバは、前記第１の特定手段は、電子チラシから読み取られたレイアウト、カラーイメージ、販売業者もしくは販売業者の店舗の名称、又は販売業者のロゴマークの少なくとも一つを、販売業者又は販売業者の店舗毎に登録されている電子チラシのレイアウト、カラーイメージ、電子チラシに表記される販売業者もしくは販売業者の店舗の名称、又は販売業者のロゴマークの少なくとも一つと対比して、販売業者又は販売業者の店舗を特定することを特徴とすることもできる。
【００１２】
このように、本発明では、電子チラシに掲載されている様々な情報のレイアウトや、電子チラシ全体の色調やレイアウトにおける各部の配色等のカラーイメージ、電子チラシに表記されている販売業者の名称やロゴマークによって、販売業者や販売業者の店舗を特定することが可能である。
【００１３】
また、本発明に係るチラシ特売情報収集サーバは、前記第２の特定手段は、電子チラシから読み取られた特売商品に関する販売情報と販売業者又は販売業者の店舗毎に登録されている取扱商品の販売情報における、商品画像、商品名及び商品規格、販売価格の少なくともいずれかが一致すると判断される所定の条件に合致することを条件として、特売商品として扱われている商品を識別する商品コードを特定することを特徴とすることもできる。
【００１４】
このように、本発明では、電子チラシから読み取られた特売商品に関する販売情報のうち、特売商品の商品画像や商品名及び商品規格が、販売業者又は販売業者の店舗毎に登録されている情報と一致する、あるいは、特売商品の販売価格が、販売業者又は販売業者の店舗毎に登録されている商品の販売価格帯等の販売価格に関する情報に一致すると判断される所定の条件に合致することによって、特売商品として扱われている商品を識別する商品コードを特定することが可能である。
【００１５】
また、本発明に係るチラシ特売情報収集サーバは、前記格納手段には、前記第１の特定手段により特定された販売業者を識別する業者コード及び販売業者の店舗を識別する店舗コードと、電子チラシから読み取られた特売商品の販売価格及び前記販売価格が適用される期間を少なくとも含む特売情報が、各々の商品コードと関連づけて格納されることを特徴とすることもできる。
【００１６】
このように、特売商品を販売している販売業者とその店舗を識別する情報とあわせて、特売情報として特売商品の販売価格及び前記販売価格が適用される期間を格納しておけば、特売商品に関する情報を求めている顧客のニーズに合致した、有益な情報を提供することができる。尚、販売価格が適用される期間については、電子チラシに掲載されている特売商品共通で適用される情報を電子チラシから読み取って格納することとしてもよいし、電子チラシに掲載されている各々の特売商品に適用される情報を電子チラシの各々の特売商品に関する販売情報から読み取って格納することとしてもよい。
【００１７】
また、本発明に係るチラシ特売情報収集サーバは、前記格納手段に格納された特売情報を、前記特売情報に対応する特売商品を販売する販売業者の店舗の位置情報が、特売情報の配信を要求するユーザに関連する位置情報と所定の条件に合致するユーザに配信する配信手段を備えることを特徴とすることもできる。
【００１８】
このように構成すると、販売業者にとっては、特売商品を販売する店舗の近隣に居住している顧客や現在店舗の近くにいる顧客に対して特売情報を配信できるとともに、顧客にとっては、居住地や現在地等の近隣にある店舗に対象を絞り込んで、特売情報の配信を受けることが可能になる。
【００１９】
本発明の課題を解決するチラシ特売情報収集装置は、チラシに掲載されている特売情報を電子化して収集するチラシ特売情報収集装置であって、特売商品に関する販売情報が掲載された紙媒体のチラシをスキャンした画像ファイルを、電子チラシとして受け付ける受付手段と、前記受付手段によって受け付けられた電子チラシを発行している販売業者及び販売業者の店舗を特定する第１の特定手段と、前記第１の特定手段により販売業者及び販売業者の店舗が特定された電子チラシから読み取られた特売商品毎の特売商品に関する販売情報を、販売業者又は販売業者の店舗毎に登録されている取扱商品の販売情報と対比して、各々の特売商品として扱われている商品を識別する一又は二以上の商品コードを特定する第２の特定手段と、前記第２の特定手段により商品コードが特定された特売商品について、前記第１の特定手段により特定された販売業者及び販売業者の店舗に関する情報と、前記電子チラシから読み取られた前記特売商品の販売価格を含む特売情報を、前記商品コードと関連づけて格納する格納手段と、を備えることを特徴とするチラシ特売情報収集装置である。
【００２０】
先に説明した本発明に係るチラシ特売情報収集サーバは、特売商品に関する販売情報が掲載された電子チラシをインターネット上で収集するが、本発明に係るチラシ特売情報収集装置では、紙媒体のチラシをスキャンした画像ファイルを電子チラシとして受け付けて、同様の処理を実行する。紙媒体のチラシをスキャンした画像ファイルを、インターネット等のネットワークを介して複数の端末から受け付ける構成としてもよいし、本発明に係るチラシ特売情報収集装置に直接接続されたスキャナから受け付ける構成としてもよい。
【００２１】
また、本発明に係るチラシ特売情報収集装置は、先に説明した本発明に係るチラシ特売情報収集サーバの各々の構成に対応する特徴を備えたチラシ特売情報収集装置として特定することもできる。
【００２２】
本発明は、本発明に係るチラシ特売情報収集サーバによって実行されるチラシ特売情報の収集方法として特定することもできる。
【００２３】
本発明に係るチラシ特売情報の収集方法は、電子チラシに掲載されている特売情報を収集するサーバによって実行されるチラシ特売情報の収集方法であって、前記サーバが、インターネットに接続されたＷｅｂサーバから、特売商品に関する販売情報が掲載された電子チラシを収集する収集ステップと、前記サーバが、前記収集ステップで収集された電子チラシを発行している販売業者及び販売業者の店舗を特定する第１の特定ステップと、前記サーバが、前記第１の特定ステップで販売業者及び販売業者の店舗が特定された電子チラシから読み取られた特売商品毎の特売商品に関する販売情報を、販売業者又は販売業者の店舗毎に登録されている取扱商品の販売情報と対比して、各々の特売商品として扱われている商品を識別する一又は二以上の商品コードを特定する第２の特定ステップと、前記サーバが、前記第２の特定ステップで商品コードが特定された特売商品について、前記第１の特定ステップで特定された販売業者及び販売業者の店舗に関する情報と、前記電子チラシから読み取られた前記特売商品の販売価格を含む特売情報を、前記商品コードと関連づけて格納する格納手段に登録する登録ステップと、を有することを特徴とするチラシ特売情報の収集方法である。
【００２４】
また、本発明に係るチラシ特売情報の収集方法は、先に説明した本発明に係るチラシ特売情報収集サーバの各々の構成によって実行されるチラシ特売情報の収集方法として特定することもできる。
【００２５】
本発明は、本発明に係るチラシ特売情報収集装置によって実行される、チラシ特売情報の収集方法として特定することもできる。
【００２６】
本発明に係るチラシ特売情報の収集方法は、チラシに掲載されている特売情報を電子化して収集する装置によって実行されるチラシ特売情報の収集方法であって、前記装置が、特売商品に関する販売情報が掲載された紙媒体のチラシをスキャンした画像ファイルを、電子チラシとして受け付ける受付ステップと、前記装置が、前記受付ステップで受け付けられた電子チラシを発行している販売業者及び販売業者の店舗を特定する第１の特定ステップと、前記装置が、前記第１の特定ステップで販売業者及び販売業者の店舗が特定された電子チラシから読み取られた特売商品毎の特売商品に関する販売情報を、販売業者又は販売業者の店舗毎に登録されている取扱商品の販売情報と対比して、各々の特売商品として扱われている商品を識別する一又は二以上の商品コードを特定する第２の特定ステップと、前記装置が、前記第２の特定ステップで商品コードが特定された特売商品について、前記第１の特定ステップで特定された販売業者及び販売業者の店舗に関する情報と、前記電子チラシから読み取られた前記特売商品の販売価格を含む特売情報を、前記商品コードと関連づけて格納する格納手段に登録する登録ステップと、を有することを特徴とするチラシ特売情報の収集方法である。
【００２７】
また、本発明に係るチラシ特売情報の収集方法は、先に説明した本発明に係るチラシ特売情報収集サーバの各々の構成に対応する特徴を備えたチラシ特売情報収集装置よって実行される、チラシ特売情報の収集方法として特定することもできる。
【発明の効果】
【００２８】
本発明によると、電子チラシにおける様々な情報のレイアウト、電子チラシに掲載されている商品名と商品規格の表記方法や、税込・税別等の販売価格の表記方法が販売業者毎に多様となっている現状においても、電子チラシ等に掲載されている特売商品に関する販売情報を効率的かつ正確に収集して、顧客に提供することが可能になる。
【００２９】
これによって、多くの小売業者の店舗等で扱われている特売商品に関する販売情報の顧客への周知が促進されるので、小売店等を運営する販売業者の販売力強化に資するとともに、顧客は特売情報の収集力が強化されて、商取引の活性化に貢献することが期待できる。
【図面の簡単な説明】
【００３０】
【図１】本発明に係るチラシ特売情報収集サーバの実施形態の一例を示す図である。
【図２】本発明に係るチラシ特売情報収集サーバの構成の一例を示すブロック図である。
【図３】本発明において、電子チラシから特売情報を読み取り、商品コードと関連づけてデータベースに格納するフローを示す第１のフローチャートである。
【図４】本発明において、電子チラシから特売情報を読み取り、商品コードと関連づけてデータベースに格納するフローを示す第２のフローチャートである。
【図５】本発明において、電子チラシを発行している販売業者等を特定する方法の具体例を示す図である。
【図６】本発明において、電子チラシに掲載された特売商品の商品コードを特定する方法の具体例を示す第１の図である。
【図７】本発明において、電子チラシに掲載された特売商品の商品コードを特定する方法の具体例を示す第２の図である。
【図８】本発明において、電子チラシに掲載された特売商品の商品コードを特定する方法の具体例を示す第３の図である。
【図９】本発明において用いられる、電子チラシから読み取られた特売情報を商品コードと関連づけて格納するデータベースの構成の第１の例を示す図である。
【図１０】本発明において用いられる、電子チラシから読み取られた特売情報を商品コードと関連づけて格納するデータベースの構成の第２の例を示す図である。
【発明を実施するための形態】
【００３１】
本発明を実施するための形態について、図面を用いて以下に詳細に説明する。尚、以下の説明は、本発明の実施形態の一例を示したものであって、本発明はここに示した実施形態に限定されるものではない。
【００３２】
図１は、本発明に係るチラシ特売情報収集サーバの実施形態の一例を示している。本発明に係るチラシ特売情報収集サーバはインターネットに接続されたコンピュータで、一日に一度といった所定のタイミングでチラシ掲載サイトや小売業者のＷｅｂサーバにアクセスして、インターネット上に公開されている特売商品に関する販売情報が掲載された電子チラシを収集する。
【００３３】
電子チラシを収集したチラシ特売情報収集サーバでは、各々の電子チラシの画像認識処理を実行して、電子チラシから読み取られた情報を、電子チラシを発行している小売業者等の販売業者又は販売業者の店舗毎に、あらかじめ登録されている電子チラシのテンプレートのレイアウトやカラーイメージ、販売業者の名称、ロゴマーク等と照合して、各々の電子チラシを発行している販売業者を特定するとともに、これらの情報の照合や、電子チラシの所定の位置に記載されている店舗の名称等を読み取ることによって、販売業者の店舗を特定する。
【００３４】
チラシ特売情報収集サーバには、販売業者又は販売業者の店舗毎に、各々の取扱商品が電子チラシに掲載される際に表記される商品名と商品規格、特売時を含めた商品の販売価格帯等の販売情報が商品情報としてあらかじめ登録されていて、電子チラシから読み取られた各々の特売商品に関する販売情報（特売商品情報）のうち、読み取られた商品名及び商品規格が、特定された販売業者等について登録されている商品情報と一致する、あるいは、読み取られた販売価格が、特定された販売業者等について登録されている商品の販売価格帯等の販売価格に関する商品情報に一致する等の所定の条件に合致する商品を、特売の対象商品と判断して、その商品を識別する商品コードを特定する。
【００３５】
尚、電子チラシから読み取られた各々の特売商品情報に商品画像が含まれていれば、商品画像も照合の対象とすることができるので、例えば、販売業者又は販売業者の店舗毎に、各々の取扱商品が電子チラシに掲載される際に用いられる商品画像を登録しておくこととすればよいが、商品画像は販売業者や販売業者の店舗によって大きく相違するものが用いられることは比較的少ないので、販売業者や販売業者の店舗に関わらず、商品コード毎に共通の商品画像を登録しておき、照合に用いることとしてもよい。
【００３６】
電子チラシから読み取られた特売商品情報がそれぞれどの商品に関するものか、その商品を識別する商品コードが特定されると、販売業者を識別する業者コードと販売業者の店舗を識別する店舗コード、販売価格とその販売価格が適用される期間を含む特売情報を、特定された商品コードと関連付けて、特売情報を格納するデータベースに登録する。販売価格が適用される期間も電子チラシから読み取られるが、電子チラシに掲載された特売商品全体に適用される期間を読み取って、各々の特売情報に関連付けることとしてもよいし、商品毎、あるいは一部の商品のグループ毎に適用される期間を電子チラシから読み取って、対応する各々の商品の特売情報に関連付けることとしてもよい。
【００３７】
データベースに登録された特売情報は、ユーザ端末からチラシ特売情報収集サーバにアクセスして検索することが可能となる他、ユーザの位置情報（居住地等のユーザに関連する位置情報をあらかじめチラシ特売情報収集サーバに登録しておいてもよいし、携帯端末のＧＰＳ機能でユーザの現在地に関する情報を取得してもよい）と、業者コード及び店舗コードから特定される位置情報からユーザの近隣の店舗に対象を絞り込んで、絞り込まれた店舗の特売情報を配信することとしてもよい。
【００３８】
図２は、本発明に係るチラシ特売情報収集サーバの構成の一例を示している。図２においては、チラシ特売情報収集サーバ１０が、本発明に係るチラシ特売情報収集サーバに対応する。
【００３９】
チラシ特売情報収集サーバ１０は、インターネットに接続された通信機能を有するコンピュータであって、ＣＰＵ、メインメモリ、ＨＤＤ等の補助記憶装置が備えられ、補助記憶装置に格納されたプログラムがメインメモリに読み出され、ＣＰＵで演算処理を実行することによって、所定の機能が実現される。
【００４０】
チラシ特売情報収集サーバ１０を構成するコンピュータの物理的な構成は特に限定されるものではなく、本発明における電子チラシの収集と、電子チラシに掲載された特売情報のデータベースへの登録や配信等の機能の他に、例えば、広告配信等の他の機能が同一のコンピュータに備えられるものであってもよい。本発明に必要な各々の機能は、物理的に一台のコンピュータによって実現されるものであってもよいし、複数のコンピュータを用いて実現されるものであってもよい。
【００４１】
チラシ特売情報収集サーバ１０の電子チラシ収集部１１、電子チラシ画像認識部１２、販売業者特定部１３１、店舗・適用期間特定部１３２、特売商品情報画像認識部１５、特売情報特定部１６１、特売情報登録部１６２、特売情報配信部１９は、いずれも機能的に特定されるものであって、ＨＤＤ等の補助記憶装置に格納された各部の機能に対応するプログラムがメインメモリに読み出され、ＣＰＵで演算処理を実行することによって、各部に対応する機能が実現される。
【００４２】
チラシ特売情報収集サーバ１０のチラシテンプレート格納部１４、商品情報格納部１７、特売情報格納部１８には、それぞれＨＤＤ等の補助記憶装置の所定の記憶領域が割り当てられる。これらの記憶領域は物理的に一台のコンピュータに設けられることを要件とするものではなく、データベースサーバを構成するコンピュータ等を含む複数のコンピュータに設けられるものであってもよい。
【００４３】
チラシ掲載サイトサーバ２０、小売業者サーバ２１、２２は、いずれもインターネット上で小売業者等の店舗における特売商品に関する情報が掲載された電子チラシを提供するＷｅｂサーバであるが、その物理的な構成は特に限定されるものではない。本発明において電子チラシの収集対象となるＷｅｂサーバは、図示したチラシ掲載サイトサーバ２０、小売業者サーバ２１、２２の他にも多数存在することになる。
【００４４】
管理者端末３０は、チラシ特売情報収集サーバ１０の管理者が操作する、チラシ特売情報収集サーバ１０へのデータの入出力が可能なコンピュータであるが、その物理的な構成は特に限定されるものではなく、例えば、パーソナルコンピュータを用いることとすればよい。管理者端末３０とチラシ特売情報収集サーバ１０は、社内ＬＡＮ等のクローズドネットワークの他、インターネットを介して接続されるものであってもよい。
【００４５】
ユーザ端末４０−４２には、小売業者の店舗の顧客等のユーザが、チラシ特売情報収集サーバ１０から特売情報の配信を受けることが可能な、スマートフォン、タブレット型コンピュータ、パーソナルコンピュータ等のネットワーク端末が用いられる。本発明において特売情報が配信されるネットワーク端末は、図示したユーザ端末４０−４２の他にも多数存在することになる。
【００４６】
尚、図２は、インターネット上で電子チラシを収集する、本発明の第１の実施形態の例を示したものであるが、本発明の第２の実施形態として、紙媒体のチラシをスキャンして電子チラシとして処理するよう構成することも可能である。第２の実施形態では、電子チラシの収集対象となるチラシ掲載サイトサーバ２０、小売業者サーバ２１、２２が、紙媒体のチラシをスキャンして電子チラシとして読み込むスキャナに置換されることになるが、これらのスキャナは、チラシ特売情報収集サーバ１０に直接、あるいは、社内ＬＡＮ等のクローズドネットワークを介して接続されてもよいし、スキャナ機能を備えたネットワーク端末がインターネットを介してチラシ特売情報収集サーバ１０に接続されるものであってもよい。
【００４７】
以上の構成を前提にして、図３−１０を用いて、本発明に係るチラシ特売情報収集サーバによる処理の流れについて説明する。
【００４８】
チラシ特売情報収集サーバ１０では、一日に一度といった所定のタイミングで電子チラシ収集部１１が起動されて、チラシ掲載サイトサーバ２０、小売業者サーバ２１、２２等から、特売商品に関する販売情報が掲載された最新の電子チラシを収集する。電子チラシ収集部１１が電子チラシを収集するタイミングや方法は特に限定されるものではないが、例えば、毎日定時にＷｅｂクローラが起動され、所定のＵＲＬにアクセスして、所定の期間内に作成又は更新された電子チラシのファイルをダウンロードすることとすればよい。
【００４９】
尚、第２の実施形態では、第２の実施形態で電子チラシ収集部１１が、インターネット上のＷｅｂサーバから電子チラシを定期的に収集する構成に替えて、紙媒体のチラシからスキャナが読み取った画像ファイルを、電子チラシとして受け付ける構成となる。
【００５０】
電子チラシ収集部１１が収集した電子チラシは、図３、４のフローチャートに示したフローによって処理されるので、以下、図３、４のフローチャートに沿って説明する。
【００５１】
まず、図３のフローチャートに示したように、電子チラシ画像認識部１２が起動され、電子チラシ収集部１１が収集した電子チラシから一の電子チラシを選択して、画像認識処理を実行する（Ｓ０１）。次に、販売業者特定部１３１が起動されて、電子チラシを画像認識した情報を、あらかじめ販売業者毎にチラシテンプレート格納部１４に格納された電子チラシのテンプレート等の情報と対比して、一致すると判断されたテンプレート等の情報から（Ｓ０３がＹｅｓ）、電子チラシを発行している販売業者を特定する（Ｓ０４）。
【００５２】
図５は、電子チラシを発行している販売業者等を特定する方法の具体例を示したものであるが、各々の販売業者についてチラシテンプレート格納部１４に格納されている電子チラシのテンプレートには、ロゴマークやセール名、日替りの目玉商品やその他の特売商品等の標準的なレイアウトが指定されているので、画像認識処理により読み取った電子チラシのレイアウトと一致するテンプレートから、販売業者を特定することができる。あるいは、こうしたレイアウトの他に、読み取った電子チラシのカラーイメージ（電子チラシ全体の色調やレイアウトにおける各部の配色等）の、テンプレートとして登録された情報との一致や、画像認識処理により電子チラシから読み取った販売業者の名称やロゴマークの、販売業者毎にチラシテンプレート格納部１４等にあらかじめ登録されている販売業者の名称やロゴマークとの一致から、販売業者を特定することとしてもよい。
【００５３】
尚、ここでいうテンプレートやカラーイメージ、販売業者の名称やロゴマークの一致とは、厳密なデータの一致までを要求するものではなく、一致すると判断できる所定の条件に合致するものであればよい。
【００５４】
次に、店舗・適用期間特定部１３２が起動されて、特定された販売事業者のチラシテンプレート格納部１４に格納された電子チラシのテンプレートを参照しながら、電子チラシを発行している販売業者の店舗と、電子チラシに掲載されている特売商品の販売価格の適用期間を特定する（Ｓ０５がＹｅｓ、Ｓ０６）。
【００５５】
図５の例であれば、特定された販売事業者の電子チラシのテンプレートには、電子チラシの標準的なレイアウトにおいて、店舗の名称（店名）が掲載される位置や、特売商品の販売価格の適用期間が掲載される位置が指定されているので、画像認識処理を行った電子チラシにおいてこれらの位置から、文字認識によって読み取られた情報から、販売事業者の店舗の名称や特売商品の販売価格の適用期間を特定することができる。
【００５６】
ところで、Ｓ０３において一致すると判断されるテンプレート等が存在しない場合や（Ｓ０３がＮｏ）、Ｓ０５において販売事業者の店舗の名称や特売商品の販売価格の適用期間を特定することができない場合には（Ｓ０５がＮｏ）、エラー処理として管理者端末３０にその旨が通知されることになる。通知を受けた管理者は、対象となる電子チラシを管理者端末３０に表示し、目視で確認して、販売業者の特定や、販売事業者の店舗の名称と特売商品の販売価格の適用期間の特定を行い、特定した結果を販売業者特定部１３１や店舗・適用期間特定部１３２に入力することとしてもよい。
【００５７】
尚、以上は、チラシテンプレート格納部１４に販売業者毎の電子チラシのテンプレートが格納されている例を前提にして説明したが、同じ販売業者でも店舗によって電子チラシのレイアウトが相違する場合等には、販売業者の店舗毎に異なる電子チラシのテンプレートをチラシテンプレート格納部１４に格納することとしてもよい。その場合は、いずれかのテンプレートとの一致によって、販売業者だけでなく店舗もあわせて特定できることになる。
【００５８】
図４のフローチャートに進むと、特売商品情報画像認識部１５が起動されて、電子チラシに掲載されている特売商品に関する販売情報（特売商品情報）のうち、一の特売商品情報を対象にして、画像認識処理を実行する（Ｓ０７）。図５に示した例であれば、２９８円で販売される「・・・シャンプー（中）」、７８円で販売される「・・・チョコ（各種）」、１９８円で販売される「＊＊＊＊＊」等が、一の特売商品情報に該当する。
【００５９】
尚、電子チラシのどの位置にある情報を特売商品情報と認識するか、特売商品情報が掲載されている位置の特定については、先に特定された電子チラシのテンプレートを用いることによって、効率的に特定することが可能である。
【００６０】
次に、特売情報特定部１６１が起動されて、特売商品情報を画像認識した情報を、あらかじめ販売業者毎に商品情報格納部１７に格納されている取扱商品の商品情報と対比して（Ｓ０８）、これらの情報が一致すると判断される所定の条件に合致するものがあれば（Ｓ０９がＹｅｓ）、特売商品として扱われている商品を識別する商品コード（通常はＪＡＮコード）を特定する（Ｓ１０）。商品コードを特定する処理は、次のように行われる。
【００６１】
商品情報格納部１７には、販売業者毎に、取扱商品の商品コードに対して、各々の商品コードに対応する商品の商品名と商品規格の他に、商品の画像や、各々の商品を電子チラシに特売商品として掲載する際に表記される商品名と商品規格、各々の商品が特売商品として販売される際を含めた商品の販売価格帯に関する情報を関連づけた商品情報が格納されている。特売情報特定部１６１では、特売商品情報の画像認識処理を実行して、特売商品情報に含まれる文字認識により、商品名や商品規格の表記と、商品の販売価格を特定し、これらを商品情報格納部１７に格納された販売業者の商品情報と対比することによって、特売商品として扱われている商品を識別する商品コードを特定する。
【００６２】
図６の右側の表は、商品情報格納部１７に格納された販売業者の商品情報の例を示したものであるが、商品コード毎に設けられたレコードに、正式な商品名と商品規格の他に、商品画像（通常はファイルパスやファイル名が登録される）、電子チラシに表記される際の商品名（表記名）と商品規格（表記規格）、特売商品として販売される際を含めた商品の販売価格帯に関する情報が記録されている。尚、正式な商品名と商品規格、商品画像については、販売業者毎ではなく、商品コードに対して共通の情報を登録して用いることとしてもよい。また、販売価格帯に関する情報における販売価格は、販売業者が電子チラシに税込・税別のいずれで販売価格を表記しているかに応じて、税込・税別のいずれであるかを、商品情報格納部１７に販売業者毎に登録しておく。
【００６３】
尚、商品情報格納部１７に格納される販売業者の商品情報は、各々の販売業者の販売実態に合わせて、随時更新するよう構成することが好ましい。例えば、月次で１回といった定期的なタイミングで、それまでに収集した電子チラシから特定した特売情報の解析や、その他にも管理者が対象商品の販売状況を調査することによって、対象商品の追加や削除（例えば、販売が終了した商品や、一定期間内の出現率が閾値を下回った商品を削除の対象とすればよい）、表記名や表記規格、販売価格帯の更新を行うこととすればよい。
【００６４】
特売商品の商品コードを特定する方法の具体例として、図７は、２９８円で販売される「・・・シャンプー（中）」の特売商品情報から商品コードを特定する例を示しているが、特売商品情報から文字認識によって読み取られた、電子チラシに表記されている「・・・シャンプー」の商品名と「中」の商品規格は、商品コード「４５＊＊＊＊＊＊＊００１９」のレコードの表記名及び表記規格と一致している。また、特売商品情報から文字認識によって読み取られた、電子チラシに表記されている「２９８円」という販売価格は、商品コード「４５＊＊＊＊＊＊＊００１９」のレコードの価格帯「２８０−３５０（円）」の範囲に含まれている。
【００６５】
以上のように、これらの情報が一致すると判断される条件に合致する商品コード「４５＊＊＊＊＊＊＊００１９」を、特売商品「・・・シャンプー（中）」の商品を識別する商品コードと特定できることになるが、販売業者によって電子チラシに表記する商品名や商品規格、特売時の販売価格帯は異なることが通常なので、あらかじめこのような情報を販売業者毎に登録して対比する構成としないと、正式な商品名と商品規格や商品の定価等の商品に関する一般的な情報のみからでは、電子チラシに掲載されている特売商品情報がどの商品に関するものかを特定することはできない。
【００６６】
図８は、７８円で販売される「・・・チョコ（各種）」の特売商品情報から商品コードを特定する例を示しているが、特売商品情報から文字認識によって読み取られた、電子チラシに表記されている「・・・チョコ」の商品名と「各種」の商品規格は、商品コード「４５＊＊＊＊＊＊＊１０１３」「４５＊＊＊＊＊＊＊１０２２」「４５＊＊＊＊＊＊＊１０３１」の３つのレコードの表記名及び表記規格と一致している。また、特売商品情報から文字認識によって読み取られた、電子チラシに表記されている「７８円」という販売価格は、商品コード「４５＊＊＊＊＊＊＊１０１３」「４５＊＊＊＊＊＊＊１０２２」「４５＊＊＊＊＊＊＊１０３１」の３つのレコードの価格帯「７０−１１０（円）」の範囲に含まれている。
【００６７】
以上のように、これらの情報が一致すると判断される条件に合致する商品コード「４５＊＊＊＊＊＊＊１０１３」「４５＊＊＊＊＊＊＊１０２２」「４５＊＊＊＊＊＊＊１０３１」を、特売商品「・・・チョコ（各種）」の商品を識別する商品コードと特定できることになる。この例では、この販売業者は「・・・チョコ」の「マイルド」「ビター」「ミルク」という、商品コードが異なる３つの商品を、まとめて「各種」と表記することとしているため、あらかじめこのような情報を登録して対比する構成としないと、正式な商品名と商品規格のみからでは、商品コードを正確に特定することができない。
【００６８】
尚、ここまでに説明した例では、商品情報格納部１７には販売業者毎に商品情報が格納される構成を前提としているが、同じ販売業者でも店舗によって商品名と商品規格の表記や、販売価格帯が異なる場合には、販売業者の店舗毎に商品情報を格納することとしてもよい。この場合、特売商品情報から文字認識によって読み取られた商品名や商品規格の表記と商品の販売価格を、先に特定された販売業者の店舗に対応する商品情報格納部１７に格納された商品情報と対比することによって、特売商品として扱われている商品を識別する商品コードを特定することになる。
【００６９】
ところで、Ｓ０９において、特売商品情報の画像認識処理により識別された情報と商品情報格納部１７に格納されている商品情報が一致すると判断される所定の条件に合致するものが存在しない場合には（Ｓ０９がＮｏ）、エラー処理として管理者端末３０にその旨が通知されることになる。通知を受けた管理者は、対象となる電子チラシの該当箇所を管理者端末３０に表示し、目視で確認して、商品コードの特定を行い、特定した結果を特売情報特定部１６１に入力することとしてもよい。
【００７０】
以上のように特売商品として扱われている商品を識別する商品コードが特定されると、特売情報登録部１６２が起動されて、特定された商品コードに、先に特定した販売業者とその店舗、特売商品情報から認識された商品の販売価格と、その販売価格が適用される期間を含む特売情報を関連付けて、特売情報格納部１８に登録する（Ｓ１１）。
【００７１】
図９と図１０は、特売情報格納部１８に格納される特売情報の例を示したものである。特売情報を格納する際のデータ構造は特に限定されるものではなく、図９の例のように、販売業者の店舗毎に、その業者コードと店舗コードの組合せに対して、電子チラシから読み取られた特売情報を商品コード毎に登録する構成としてもよいし、図１０の例のように、特売情報の登録対象となる商品（これらの商品の商品情報は商品情報格納部１７に格納されている）の商品コードに対して、特売情報が検出された販売業者とその店舗、販売価格等に関する情報を登録する構成としてもよい。
【００７２】
尚、特売商品の販売価格が適用される期間については、Ｓ０６で特定された電子チラシ全体に適用される期間が用いられるのが原則となるが、図７や図８の例に示した日付等が限定された目玉商品が存在するようなケースでは、特売商品情報からＳ０６で特定された期間内における特定の期間（図７の例では「２６日（土）」、図８の例では「２７日（日）」）に関する情報が認識されるので、ここで認識される期間が電子チラシ全体に適用される期間より優先的に採用されることになる。
【００７３】
また、特売情報に含まれる販売価格については、商品情報格納部１７に販売業者毎に登録されている電子チラシに表記される販売価格の税込・税別の区分に応じて、電子チラシから読み取った販売価格が税込・税別のいずれに該当するかが指定されるので、特売情報を配信された顧客は、特売商品の販売価格が税込・税別のいずれであるかを認識することができる。
【００７４】
続いて、同じ電子チラシに他の特売商品情報がある場合は（Ｓ１２がＹｅｓ）、同様の処理によって特売情報を特売情報格納部１８に登録するまでの処理（Ｓ０７−Ｓ１１）が繰り返されるが、電子チラシに掲載されている全ての特売商品情報に関する処理が終了すると（Ｓ１２がＮｏ）、電子チラシ収集部１１が収集した電子チラシが他にも存在するかを確認する（Ｓ１３）。電子チラシが他にも存在する場合は（Ｓ１３がＹｅｓ）、他の一の電子チラシを対象に同様の処理（Ｓ０１−Ｓ１２）が繰り返され、電子チラシ収集部１１が収集した全ての電子チラシに関する処理が終了すると（Ｓ１３がＮｏ）、電子チラシ収集部１１の定期的な起動に伴う一連の処理を終了する。
【００７５】
特売情報格納部１８に格納されている特売情報は、ユーザの希望に応じて、特売情報配信部１９からユーザ端末４０−４２に配信される。ユーザ端末４０−４２への配信方法は特に限定されるものではなく、例えば、ユーザ端末４０−４２から、居住地や現在地等のユーザに関する位置情報と、特定の商品又は商品カテゴリーを指定したリクエストが特売情報配信部１９に送信されると、特売情報配信部１９では、位置情報と商品コード（指定された商品の商品コードや、指定された商品カテゴリーに含まれる商品の商品コード）をキーに特売情報格納部１８に格納されている特売情報を検索して、該当する特売情報をユーザ端末４０−４２に返信することとすればよい。
【００７６】
あるいは、ユーザがあらかじめ居住地や勤務地等のユーザに関する位置情報や特定の商品又は商品カテゴリーをチラシ特売情報収集サーバ１０に登録しておき、特売情報配信部１９を定期的に起動し、位置情報と商品コード（指定された商品の商品コードや、指定された商品カテゴリーに含まれる商品の商品コード）をキーに特売情報格納部１８に格納されている特売情報を検索する処理を実行して、該当する特売情報を登録ユーザが使用しているユーザ端末４０−４２に電子メール等で送信することとしてもよい。
【符号の説明】
【００７７】
１０    チラシ特売情報収集サーバ
１１    電子チラシ収集部
１２    電子チラシ画像認識部
１３１  販売業者特定部
１３２  店舗・適用期間特定部
１４    チラシテンプレート格納部
１５    特売商品情報画像認識部
１６１  特売情報特定部
１６２  特売情報登録部
１７    商品情報格納部
１８    特売情報格納部
１９    特売情報配信部
２０    チラシ掲載サイトサーバ
２１    小売業者サーバ
２２    小売業者サーバ
３０    管理者端末
４０    ユーザ端末
４１    ユーザ端末
４２    ユーザ端末
【図１】
2018197893.tif 000003
【図２】
2018197893.tif 000004
【図３】
2018197893.tif 000005
【図４】
2018197893.tif 000006
【図５】
2018197893.tif 000007
【図６】
2018197893.tif 000008
【図７】
2018197893.tif 000009
【図８】
2018197893.tif 000010
【図９】
2018197893.tif 000011
【図１０】
2018197893.tif 000012